(57)【要約】【課題】  ＩＰｖ４ネットワーク上でＩＰｖ６パケットを高い伝送効率で伝送できる無線ＬＡＮシステムを実現することを目的とする。【解決手段】  アクセスポイント１は、ネットワーク７（＃ａ）からカプセル化パケットを受信すると、そのカプセル化ヘッダを圧縮ヘッダに圧縮した圧縮ヘッダのパケットに変換して無線ＬＡＮ端末２に送信し、無線ＬＡＮ端末２は、アクセスポイント１から圧縮ヘッダのパケットを受信すると、前記圧縮ヘッダのパケットをカプセル化パケットに復元し、自装置に接続されたネットワーク（＃ｂ）７に送信する。  【選択図】  図１
2005124077.tif 000002
【特許請求の範囲】
【請求項１】
第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局と、前記送信局と無線接続された受信局とからなる無線ＬＡＮシステムであって、
前記送信局は、
前記第１のネットワークのプロトコルに基づく複数のアドレスの組合せに応じて圧縮情報が対応付けられて記憶する第１の変換テーブルと、
前記カプセル化パケットの第１のヘッダ情報および第２のヘッダ情報からなるカプセル化ヘッダの少なくとも一部を前記第１の変換テーブルに基づき圧縮ヘッダ情報に圧縮すると共に、無線通信ヘッダを付加した無線通信パケットに変換する変換手段と、
前記無線通信パケットを前記受信局に無線送信する送信手段とを有し、
前記受信局は、
前記第１のネットワークのプロトコルに基づく複数のアドレスの組合せに応じて圧縮情報が対応付けられて記憶する第２の変換テーブルと、
前記無線通信パケットを受信すると前記圧縮ヘッダ情報の少なくとも一部を前記第２の変換テーブルに基づいて前記第１および第２のヘッダ情報からなる前記カプセル化パケットに復元して第２のクライアントに対し送信する送信手段とを有する
ことを特徴とする無線ＬＡＮシステム。
【請求項２】
第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局と、前記送信局と無線接続された受信局とからなる無線ＬＡＮシステムであって、
前記送信局は、
前記第１のネットワークのプロトコルに基づく複数のアドレスの組合せに応じて圧縮情報が対応付けられて記憶する第１の変換テーブルと、
前記カプセル化パケットの第１のヘッダ情報および第２のヘッダ情報からなるカプセル化ヘッダの少なくとも一部を前記第１の変換テーブルに基づき圧縮ヘッダ情報に圧縮し、且つ、無線通信ヘッダと圧縮ヘッダパケットである識別情報を付加した無線通信パケットに変換する変換手段と、
前記無線通信パケットを前記受信局に無線送信する送信手段とを有し、
前記受信局は、
前記第１のネットワークのプロトコルに基づく複数のアドレスの組合せに応じて圧縮情報が対応付けられて記憶する第２の変換テーブルと、
前記無線通信パケットを受信して前記識別情報に基づいて前記圧縮ヘッダパケットであることを判別した時、前記圧縮ヘッダ情報の少なくとも一部を前記第２の変換テーブルに基づいて前記第１および第２のヘッダ情報からなる前記カプセル化パケットに復元して第２のクライアントに対し送信する送信手段とを有する
ことを特徴とする無線ＬＡＮシステム。
【請求項３】
第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局と、前記送信局と無線接続された受信局とからなる無線ＬＡＮシステムであって、
前記送信局は、
前記第１のネットワークのプロトコルに基づく複数のアドレスの組合せに応じて圧縮情報が対応付けられて記憶する第１の変換テーブルと、
前記第１の変換テーブルに前記カプセル化パケットの第１のヘッダ情報に含まれる複数のアドレスの組合せが記憶されている時、前記カプセル化パケットの前記第１のヘッダ情報および第２のヘッダ情報からなるカプセル化ヘッダの少なくとも一部を前記第１の変換テーブルに基づき圧縮ヘッダ情報に圧縮すると共に、無線通信ヘッダを付加した第１の無線通信パケットに変換し、前記第１の変換テーブルに前記カプセル化パケットの前記第１のヘッダ情報に含まれる前記複数のアドレスの組合せが記憶されていない時、前記カプセル化パケットに前記無線通信ヘッダを付加した第２の無線通信パケットに変換する変換手段と、
前記第１又は第２の無線通信パケットを前記受信局に無線送信する送信手段とを有し、
前記受信局は、
前記第１のネットワークのプロトコルに基づく複数のアドレスの組合せに応じて圧縮情報が対応付けられて記憶する第２の変換テーブルと、
前記第１の無線通信パケットを受信すると前記圧縮ヘッダ情報の少なくとも一部を前記第２の変換テーブルに基づいて前記第１および第２のヘッダ情報からなる前記カプセル化パケットに復元し、前記第２の無線パケットを受信するとそのカプセル化パケットを第２のクライアントに対し送信する送信手段とを有する
ことを特徴とする無線ＬＡＮシステム。
【請求項４】
前記第２のクライアントは、前記受信局に直接接続されているか、または前記受信局から前記第１のクライアントが接続される前記第１のネットワークおよび前記第２のネットワークとは別な第２のネットワークおよび前記第１のネットワークとを介して接続されていることを特徴とする請求項１乃至請求項３のいずれか１項に記載の無線ＬＡＮシステム。
【請求項５】
前記第１のネットワークのプロトコルに基づく複数のアドレスは、送信元ＩＰアドレスおよび宛先ＩＰアドレスであることを特徴とする請求項１乃至請求項３のいずれか１項に記載の無線ＬＡＮシステム。
【請求項６】
前記第１のヘッダ情報は前記第１のネットワークのプロトコルに基づいたヘッダ情報であり、前記第２のヘッダ情報は前記第２のネットワークのプロトコルに基づいたヘッダ情報であることを特徴とする請求項１乃至請求項３のいずれか１項に記載の無線ＬＡＮシステム。
【請求項７】
前記送信局は、前記第２のネットワークから前記カプセル化パケットを受信した時、当該パケットに付加されている有線通信ヘッダを取り外し、前記受信局へ前記無線通信パケットを送信する時、無線通信ヘッダを付加することを特徴とする請求項１乃至請求項３のいずれか１項に記載の無線ＬＡＮシステム。
【請求項８】
前記受信局は、前記無線通信パケットを受信した時、前記無線通信パケットに付加されている前記無線通信ヘッダを取り外し、前記第２のクライアントへ送信する時、前記第２のクライアントが接続されているネットワークに応じた有線通信ヘッダを付加することを特徴とする請求項１乃至請求項３のいずれか１項に記載の無線ＬＡＮシステム。
【請求項９】
前記識別情報に基づいて前記送信局からの前記パケットが前記圧縮ヘッダパケットでないパケットであると判別し、且つ、前記第１のヘッダ情報から前記カプセル化パケットであると判別した時、前記カプセル化パケットを前記第２のクライアントに対し送信することを特徴とする請求項２に記載の無線ＬＡＮシステム。
【請求項１０】
前記送信局は、前記第１の変換テーブルに前記カプセル化パケットの前記第１のヘッダ情報に含まれる前記複数のアドレスの組合せが記憶されていない時、前記第１の変換テーブルに当該複数のアドレスの組合せとその圧縮情報を記憶することを特徴とする請求項３に記載の無線ＬＡＮシステム。
【請求項１１】
前記送信局は、前記第１の変換テーブルに前記カプセル化パケットの前記第１のヘッダ情報に含まれる前記複数のアドレスの組合せが記憶されていない時、前記受信局に送信する前記カプセル化パケットの前記第１のヘッダ情報中にマークを設定して送信することを特徴とする請求項１０に記載の無線ＬＡＮシステム。
【請求項１２】
前記受信局は、前記マークが設定された前記カプセル化パケットを受信した時、前記カプセル化パケットの前記第１のヘッダ情報に含まれる前記複数のアドレスの組合せとその圧縮情報を前記第２の変換テーブルに記憶する請求項１１に記載の無線ＬＡＮシステム。
【請求項１３】
第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局と、前記送信局と無線接続された受信局とからなる無線ＬＡＮシステムの通信制御方法であって、
前記送信局は、
前記第１のネットワークのプロトコルに基づく複数のアドレスの組合せに応じて圧縮情報が対応付けられて記憶する第１の変換テーブルを具備し、
前記カプセル化パケットの第１のヘッダ情報および第２のヘッダ情報からなるカプセル化ヘッダの少なくとも一部を前記第１の変換テーブルに基づき圧縮ヘッダ情報に圧縮すると共に、無線通信ヘッダを付加した無線通信パケットに変換して前記受信局に無線送信し、
前記受信局は、
前記第１のネットワークのプロトコルに基づく複数のアドレスの組合せに応じて圧縮情報が対応付けられて記憶する第２の変換テーブルを具備し、
前記無線通信パケットを受信すると前記圧縮ヘッダ情報の少なくとも一部を前記第２の変換テーブルに基づいて前記第１および第２のヘッダ情報からなる前記カプセル化パケットに復元して第２のクライアントに対し送信する
ことを特徴とする無線ＬＡＮシステムの通信制御方法。
【請求項１４】
第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局と、前記送信局と無線接続された受信局とからなる無線ＬＡＮシステムの通信制御方法であって、
前記送信局は、
前記第１のネットワークのプロトコルに基づく複数のアドレスの組合せに応じて圧縮情報が対応付けられて記憶する第１の変換テーブルを具備して、
前記カプセル化パケットの第１のヘッダ情報および第２のヘッダ情報からなるカプセル化ヘッダの少なくとも一部を前記第１の変換テーブルに基づき圧縮ヘッダ情報に圧縮し、無線通信ヘッダと圧縮ヘッダパケットである識別情報を付加した無線通信パケットに変換して前記受信局に無線送信し、
前記受信局は、
前記第１のネットワークのプロトコルに基づく複数のアドレスの組合せに応じて圧縮情報が対応付けられて記憶する第２の変換テーブルを具備し、
前記無線通信パケットを受信して前記識別情報に基づいて前記圧縮ヘッダパケットであることを判別した時、前記圧縮ヘッダ情報の少なくとも一部を前記第２の変換テーブルに基づいて前記第１および第２のヘッダ情報からなる前記カプセル化パケットに復元して第２のクライアントに対し送信する
ことを特徴とする無線ＬＡＮシステムの通信制御方法。
【請求項１５】
第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局と、前記送信局と無線接続された受信局とからなる無線ＬＡＮシステムの通信制御方法であって、
前記送信局は、
前記第１のネットワークのプロトコルに基づく複数のアドレスの組合せに応じて圧縮情報が対応付けられて記憶する第１の変換テーブルを具備し、
前記第１の変換テーブルに前記カプセル化パケットの第１のヘッダ情報に含まれる複数のアドレスの組合せが記憶されている時、前記カプセル化パケットの前記第１のヘッダ情報および第２のヘッダ情報からなるカプセル化ヘッダの少なくとも一部を前記第１の変換テーブルに基づき圧縮ヘッダ情報に圧縮すると共に、無線通信ヘッダを付加した第１の無線通信パケットに変換し、
前記第１の変換テーブルに前記カプセル化パケットの前記第１のヘッダ情報に含まれる前記複数のアドレスの組合せが記憶されていない時、前記カプセル化パケットに前記無線通信ヘッダを付加した第２の無線通信パケットに変換し、
前記第１又は第２の無線通信パケットを前記受信局に無線送信し、
前記受信局は、
前記第１のネットワークのプロトコルに基づく複数のアドレスの組合せに応じて圧縮情報が対応付けられて記憶する第２の変換テーブルを具備し、
前記第１の無線通信パケットを受信すると前記圧縮ヘッダ情報の少なくとも一部を前記第２の変換テーブルに基づいて前記第１および第２のヘッダ情報からなる前記カプセル化パケットに復元し、
前記第２の無線パケットを受信するとそのカプセル化パケットを第２のクライアントに対し送信する
ことを特徴とする無線ＬＡＮシステムの通信制御方法。
【請求項１６】
受信局と無線接続され、第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局であって、
前記第１のネットワークのプロトコルに基づく複数のアドレスの組合せに応じて圧縮情報が対応付けられて記憶された変換テーブルと、
前記カプセル化パケットの第１のヘッダ情報および第２のヘッダ情報からなるカプセル化ヘッダの少なくとも一部を前記変換テーブルに基づき圧縮ヘッダ情報に圧縮すると共に、無線通信ヘッダを付加した無線通信パケットに変換する変換手段と、
前記無線通信パケットを前記受信局に無線送信する送信手段と
を具備することを特徴とする無線ＬＡＮシステムの送信局。
【請求項１７】
第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局と無線接続された受信局であって、
前記第１のネットワークのプロトコルに基づく複数のアドレスの組合せに応じて圧縮情報が対応付けられて記憶されて変換テーブルと、
前記カプセル化パケットの第１のヘッダ情報および第２のヘッダ情報からなるカプセル化ヘッダの少なくとも一部が圧縮された圧縮ヘッダ情報と無線通信ヘッダとを含む無線通信パケットを前記送信局から受信する受信手段と、
前記受信手段で受信した前記無線通信パケットの前記圧縮ヘッダ情報の少なくとも一部を前記変換テーブルに基づいて前記第１および第２のヘッダ情報からなる前記カプセル化パケットに復元し、クライアントに対し送信する送信手段とを有する
ことを特徴とする無線ＬＡＮシステムの受信局。
【発明の詳細な説明】
【技術分野】
【０００１】
本発明は、無線ＬＡＮシステム、無線ＬＡＮシステムの通信制御方法、無線ＬＡＮシステムの送信局および無線ＬＡＮシステムの受信局に関する。
【背景技術】
【０００２】
従来のインターネット通信は、ＩＰｖ4（Ｉｎｔｅｒｎｅｔ  Ｐｒｏｔｏｃｏｌ  ｖｅｒｓｉｏｎ  ４）プロトコルによるパケット通信が行われているが、近年のアドレス数の増加等に対応することを目的として、ＩＰｖ６（Ｉｎｔｅｒｎｅｔ  Ｐｒｏｔｏｃｏｌ  ｖｅｒｓｉｏｎ  ６）プロトコルの導入が進みつつある。しかし、ＩＰｖ６プロトコルとＩＰｖ４プロトコルは、ヘッダ構造を初めとしてプロトコルの形式が異なり、既存のＩＰｖ４プロトコルのネットワーク上でＩＰｖ６プロトコルのパケット（以下、ＩＰｖ６パケットと称する）を通信する場合には、トンネル化またはカプセル化と呼ばれる変換技術が用いられる。
【０００３】
このカプセル化変換を行う技術は、例えば、「６ｔｏ４」と呼ばれるものがある（例えば、非特許文献１参照。）。
【０００４】
この仕様は、ＩＰｖ６パケットをカプセル化してＩＰｖ４プロトコルのネットワーク上で伝送するもので、ＩＰｖ４プロトコルのネットワーク（以下、ＩＰｖ４ネットワークと称する）の上で、ＩＰＶ６パケットをＩＰｖ４パケットの様に見せかけて伝送するものである。
【０００５】
図１３は、サーバからＩＰｖ６パケットをこのカプセル化を利用してＩＰｖ４ネットワークに接続された無線ＬＡＮ上のクライアントとの間で通信する無線ＬＡＮシステムの構成図である。
【０００６】
図１３において、無線ＬＡＮシステムは、アクセスポイント１ｘ、無線ＬＡＮ端末２ｘ、ＩＰｖ４ネットワーク７ｘ、ＩＰｖ６ネットワーク８ｘ、カプセル化部９ｘ、サーバ１０ｘ、カプセル化部９９ｘおよびクライアント２１ｘから構成される。そして、アクセスポイント１ｘは無線伝送部３１ｘを有し、無線端末２ｘは無線伝送部３２ｘを有している。
【０００７】
図１４は、上記無線ＬＡＮシステムで伝送されるパケットの構成を示す図である。図１４（ａ）は、アクセスポイント１ｘがＩＰｖ４ネットワーク７ｘとの間で送受信するパケットで、イーサネット（登録商標）やＩＥＥＥ８０２．３に代表される有線ＬＡＮの有線ＬＡＮＭＡＣヘッダ１４ｘ、ＩＰｖ４ヘッダ１１ｘ、ＩＰｖ６ヘッダ１２ｘ、およびペイロード１３ｘから構成される。
【０００８】
また、図１４（ｂ）は、アクセスポイント１ｘが無線ＬＡＮ端末２ｘとの間で送受信するパケットで無線ＬＡＮＭＡＣヘッダ１６ｘ、ＩＰｖ４ヘッダ１１ｘ、ＩＰｖ６ヘッダ１２ｘ、およびペイロード１３ｘから構成される。なお、有線ＬＡＮＭＡＣヘッダ１４ｘの詳細構造は、ＩＥＥＥの標準仕様ＩＥＥＥ８０２．３に、また、無線ＬＡＮＭＡＣヘッダ１６ｘの詳細構造は、ＩＥＥＥ８０２．１１ａ、ＩＥＥＥ８０２．１１ｂ等にそれぞれ定義されている。以下、図１３、図１４を参照して、従来の無線ＬＡＮシステムの動作を説明する。
【０００９】
図１３において、サーバ１０ｘは、無線ＬＡＮ端末２ｘに接続されたクライアント２１ｘに対しＩＰｖ６形式でアドレス等を設定したパケット通信を行うものとする。サーバ１０ｘが送信するＩＰｖ６パケットは、ＩＰｖ６ネットワーク８ｘを介してカプセル化部９ｘに送信される。ＩＰｖ６パケットを受信したカプセル化部９ｘは、それにＩＰｖ４ヘッダを付加したカプセル化パケットに変換する。そして、そのカプセル化パケットを更にＩＰｖ４ネットワーク７ｘを介してアクセスポイント１ｘに送信する。
【００１０】
アクセスポイント１ｘは、ＩＰｖ４ネットワーク７ｘを介してカプセル化パケットを受信すると、そのパケットの有線ＬＡＮＭＡＣヘッダ１４ｘを無線ＬＡＮＭＡＣヘッダ１６ｘに変換して、無線ＬＡＮ端末２ｘにカプセル化パケットを送信する。
【００１１】
そして、無線ＬＡＮ端末２ｘは、このカプセル化パケットを受信すると、無線ＬＡＮＭＡＣヘッダ１６ｘを取り外し、新たに有線ＬＡＮＭＡＣヘッダ１４ｘを設定し、更にそのパケットをカプセル化部９９ｘに送信する。そして、カプセル化部９９ｘが、そのパケットのカプセル化をほどき、ＩＰｖ６パケットに復元してクライアント２１ｘに送信する。なお、クライアント２１からサーバ１０へのパケット送信は、この手順が逆の関係になる。
【００１２】
図１５および図１６は、それぞれＩＰｖ４パケットおよびＩＰｖ６パケットのヘッダ構造を示し、ＩＰｖ４ヘッダとＩＰｖ６ヘッダとの間の対応の詳細は、ＩＥＴＦ（Ｉｎｔｅｒｎｅｔ  Ｅｎｇｉｎｅｅｒｉｎｇ  Ｔａｓｋ  Ｆｏｒｃｅ）のＲＦＣ（Ｒｅｑｕｅｓｔ  ｆｏｒ  Ｃｏｍｍｅｎｔ）２４６０等に記述されている。
【００１３】
図１５において、ＩＰｖ４パケットのパケット長は、オプションｍとパディングｎを外した最小単位で２０バイトである。
【００１４】
また、図１６ではＩＰｖ６プロトコルでは送信元ＩＰアドレスＧと宛先ＩＰアドレスＨが、それぞれ１２８ビット（１６バイト）で表示されるので、ＩＰｖ６ヘッダは固定長４０バイトとなることが示されている。なお、図１６には記載していないが、ＩＰｖ６ヘッダは図示された固定長４０バイトの基本ヘッダに続いて、ルーティング（経路情報）、ＱＯＳの為の認証、暗号化ペイロード等を設定するための拡張ヘッダが設定されることがある。
【００１５】
ところで、ＩＰｖ６パケットに付随するアドレス等の情報を示すＩＰｖ６ヘッダ１２ｘは、ＩＰｖ４ヘッダ１１ｘのそれに比較して長く、ＩＰｖ４ヘッダ１１ｘでＩＰｖ６パケットのヘッダも含んでカプセル化するのでパケット長が長くなる。そして、無線ＬＡＮシステムでは、無線通信制御のための無線ＬＡＮ特有のヘッダ情報がさらに付加される。
【００１６】
従って、無線ＬＡＮの通信区間では、以上の各種のヘッダ長が合計されて長いヘッダとなりスループットの低下を招く問題があった。
【００１７】
例えば、ＩＰｖ４ヘッダ１１ｘは２０バイト以上、ＩＰｖ６ヘッダ１２ｘは４０バイトのヘッダであるため、上述のカプセル化をすると最小でも６０バイトのヘッダとなる。代表的なＩＰパケットの伝送手段であるイーサネット（登録商標）では、ＩＰパケットの入るペイロード１３ｘの長さが最小の設定値では６４バイトである。従って、最小規定値でカプセル化パケットを送信する場合、ペイロード１３ｘのほとんどがＩＰヘッダに占められてしまうので、伝送効率の低下が顕著な問題となっている。
【非特許文献１】ＩＥＴＦ  ＲＦＣ３０５６（Ｉｎｔｅｒｎｅｔ  Ｅｎｇｉｎｅｅｒｉｎｇ  Ｔａｓｋ  Ｆｏｒｃｅ  Ｒｅｑｕｅｓｔ  Ｆｏｒ  Ｃｏｍｍｅｎｔｓ３０５６）。
【発明の開示】
【発明が解決しようとする課題】
【００１８】
従来、ＩＰｖ４ネットワークに接続された無線ＬＡＮシステムでは、ＩＰｖ６パケットのカプセル化をするとヘッダが長くなり、さらに無線ＬＡＮのＭＡＣアドレスヘッダが付加されるので、パケット中に占めるヘッダ長が加えて大きくなり伝送効率が低下する問題があった。
【００１９】
本発明は、ＩＰｖ４ネットワーク上でＩＰｖ６パケットを高い伝送効率で伝送できる無線ＬＡＮシステムおよびその通信制御方法を実現することを目的とする。
【課題を解決するための手段】
【００２０】
上記目的を達成するために、本発明の無線ＬＡＮシステムは、第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局と、前記送信局と無線接続された受信局とからなる無線ＬＡＮシステムであって、前記送信局は、前記第１のネットワークのプロトコルに基づく複数のアドレスの組合せに応じて圧縮情報が対応付けられて記憶する第１の変換テーブルと、前記カプセル化パケットの第１のヘッダ情報および第２のヘッダ情報からなるカプセル化ヘッダの少なくとも一部を前記第１の変換テーブルに基づき圧縮ヘッダ情報に圧縮すると共に、無線通信ヘッダを付加した無線通信パケットに変換する変換手段と、前記無線通信パケットを前記受信局に無線送信する送信手段とを有し、前記受信局は、前記第１のネットワークのプロトコルに基づく複数のアドレスの組合せに応じて圧縮情報が対応付けられて記憶する第２の変換テーブルと、前記無線通信パケットを受信すると前記圧縮ヘッダ情報の少なくとも一部を前記第２の変換テーブルに基づいて前記第１および第２のヘッダ情報からなる前記カプセル化パケットに復元して第２のクライアントに対し送信する送信手段とを有することを特徴とする。
【００２１】
また、本発明の無線ＬＡＮシステムは、第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局と、前記送信局と無線接続された受信局とからなる無線ＬＡＮシステムであって、前記送信局は、前記第１のネットワークのプロトコルに基づく複数のアドレスの組合せに応じて圧縮情報が対応付けられて記憶する第１の変換テーブルと、前記カプセル化パケットの第１のヘッダ情報および第２のヘッダ情報からなるカプセル化ヘッダの少なくとも一部を前記第１の変換テーブルに基づき圧縮ヘッダ情報に圧縮し、且つ、無線通信ヘッダと圧縮ヘッダパケットである識別情報を付加した無線通信パケットに変換する変換手段と、前記無線通信パケットを前記受信局に無線送信する送信手段とを有し、前記受信局は、前記第１のネットワークのプロトコルに基づく複数のアドレスの組合せに応じて圧縮情報が対応付けられて記憶する第２の変換テーブルと、前記無線通信パケットを受信して前記識別情報に基づいて前記圧縮ヘッダパケットであることを判別した時、前記圧縮ヘッダ情報の少なくとも一部を前記第２の変換テーブルに基づいて前記第１および第２のヘッダ情報からなる前記カプセル化パケットに復元して第２のクライアントに対し送信する送信手段とを有することを特徴とする。
【００２２】
また、本発明の無線ＬＡＮシステムは、第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局と、前記送信局と無線接続された受信局とからなる無線ＬＡＮシステムであって、前記送信局は、前記第１のネットワークのプロトコルに基づく複数のアドレスの組合せに応じて圧縮情報が対応付けられて記憶する第１の変換テーブルと、前記第１の変換テーブルに前記カプセル化パケットの第１のヘッダ情報に含まれる複数のアドレスの組合せが記憶されている時、前記カプセル化パケットの前記第１のヘッダ情報および第２のヘッダ情報からなるカプセル化ヘッダの少なくとも一部を前記第１の変換テーブルに基づき圧縮ヘッダ情報に圧縮すると共に、無線通信ヘッダを付加した第１の無線通信パケットに変換し、前記第１の変換テーブルに前記カプセル化パケットの前記第１のヘッダ情報に含まれる前記複数のアドレスの組合せが記憶されていない時、前記カプセル化パケットに前記無線通信ヘッダを付加した第２の無線通信パケットに変換する変換手段と、前記第１又は第２の無線通信パケットを前記受信局に無線送信する送信手段とを有し、前記受信局は、前記第１のネットワークのプロトコルに基づく複数のアドレスの組合せに応じて圧縮情報が対応付けられて記憶する第２の変換テーブルと、前記第１の無線通信パケットを受信すると前記圧縮ヘッダ情報の少なくとも一部を前記第２の変換テーブルに基づいて前記第１および第２のヘッダ情報からなる前記カプセル化パケットに復元し、前記第２の無線パケットを受信するとそのカプセル化パケットを第２のクライアントに対し送信する送信手段とを有することを特徴とする。
【００２３】
また、本発明の無線ＬＡＮシステムの送信局は、受信局と無線接続され、第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局であって、前記第１のネットワークのプロトコルに基づく複数のアドレスの組合せに応じて圧縮情報が対応付けられて記憶された変換テーブルと、前記カプセル化パケットの第１のヘッダ情報および第２のヘッダ情報からなるカプセル化ヘッダの少なくとも一部を前記変換テーブルに基づき圧縮ヘッダ情報に圧縮すると共に、無線通信ヘッダを付加した無線通信パケットに変換する変換手段と、前記無線通信パケットを前記受信局に無線送信する送信手段とを具備することを特徴とする。
【００２４】
また、本発明の無線ＬＡＮシステムの受信局は、第１のクライアントから第１のネットワークを介して伝送されたパケットが前記第１のネットワークとは異なる第２のネットワークのプロトコルに応じてカプセル化パケットに変換されたものを前記第２のネットワークを介して受信する送信局と無線接続された受信局であって、前記第１のネットワークのプロトコルに基づく複数のアドレスの組合せに応じて圧縮情報が対応付けられて記憶されて変換テーブルと、前記カプセル化パケットの第１のヘッダ情報および第２のヘッダ情報からなるカプセル化ヘッダの少なくとも一部が圧縮された圧縮ヘッダ情報と無線通信ヘッダとを含む無線通信パケットを前記送信局から受信する受信手段と、前記受信手段で受信した前記無線通信パケットの前記圧縮ヘッダ情報の少なくとも一部を前記変換テーブルに基づいて前記第１および第２のヘッダ情報からなる前記カプセル化パケットに復元し、クライアントに対し送信する送信手段とを有することを特徴とする。
【発明の効果】
【００２５】
本発明によれば、ＩＰｖ４ネットワーク上で異なるプロトコルのＩＰｖ６パケットをカプセル化して伝送を行う場合でも、無線ＬＡＮ上では、カプセル化ヘッダを圧縮してヘッダ長の短い通信を行うことができるので、伝送効率を向上できる。
【発明を実施するための最良の形態】
【００２６】
以下、図面を参照して本発明を説明する。
【実施例１】
【００２７】
図１は、本発明に係る無線ＬＡＮシステムの実施例１の構成を示すブロック図である。
【００２８】
図１において、無線ＬＡＮシステムは、アクセスポイント１、無線ＬＡＮ端末２、ＩＰｖ４ネットワーク（＃ａ、＃ｂ）７、ＩＰｖ４端末７ｔ、ＩＰｖ６ネットワーク（＃ａ、＃ｂ）８、カプセル化部９、カプセル化部９９、サーバ１０、およびクライアント２１とから構成される。アクセスポイント１は、無線部３１、ヘッダ処理部５１、および変換テーブル６１を有し、無線ＬＡＮ端末２は、無線部３２、ヘッダ処理部５２、および変換テーブル６２を有している。なお、クライアント２１はパソコンＰＣや携帯情報端末などで構成される。
【００２９】
図２は、実施例１の無線ＬＡＮシステムで伝送するパケットの構成を示す図である。図２（ａ）は、アクセスポイント１が有線ＬＡＮのＩＰｖ４ネットワーク（＃ａ）７との間で送受信するパケットで、イーサネット（登録商標）に代表される有線ＬＡＮＭＡＣヘッダ１４、ＩＰｖ４ヘッダ１１、ＩＰｖ６ヘッダ１２、およびペイロード１３から構成される。また、図２（ｂ）は、アクセスポイント１が無線ＬＡＮ端末２との間で送受信するパケットで、無線ＬＡＮＭＡＣヘッダ１６、圧縮ヘッダ１５、およびペイロード１３から構成される。なお、図２（ａ）は、無線ＬＡＮ端末２とＩＰｖ４ネットワーク（＃ｂ）７との間で送受信するパケットでもある。
【００３０】
図１において、サーバ１０は、クライアント２１にＩＰｖ６アドレスを設定したパケットを送信する。サーバ１０が送信したＩＰｖ６パケットは、ＩＰｖ６ネットワーク（＃ａ）８を介してカプセル化部９に送信される。
【００３１】
なお、以下の説明では、ＩＰｖ６ネットワーク（＃ａ）８からＩＰｖ６パケットをサーバ１０が送信する場合を例に動作説明を行っているが、サーバ１０の代わりにクライアント（図示せず）からＩＰｖ６パケットを送信するものであっても動作は同様である。
【００３２】
カプセル化部９は、リレールータとも呼ばれ、ＩＰｖ４ネットワーク（＃ａ，＃ｂ）７の入口、出口を示すＩＰｖ４ヘッダ１１を付加したカプセル化パケットに変換する。そして、カプセル化部９からのカプセル化パケットは、ＩＰｖ４ネットワーク（＃ａ）７を介してアクセスポイント１に送信される。
【００３３】
このカプセル化パケットは、図２（ａ）に示される様に、有線ＬＡＮの伝送区間であるＩＰｖ４ネットワーク（＃ａ、＃ｂ）７では、ＩＰｖ４ヘッダ１１が元のＩＰｖ６ヘッダ１２を持つパケットに付加され、ヘッダ部分が長いパケットになっている。なお、サーバ１０が送信するＩＰｖ６パケットは、この図２（ａ）からＩＰｖ４ヘッダ１１を除いたＩＰｖ６ヘッダ１２、ペイロード１３と考えればよい。そして、サーバ１０とアクセスポイント１との間を接続する有線のネットワーク上では、サーバ１０によって有線ＬＡＮＭＡＣヘッダ１４が付加され信号が伝送され、また、アクセスポイント１と無線端末２間の無線のネットワーク上では、アクセスポイント１によって無線ＬＡＮＭＡＣヘッダ１６が付加された信号が伝送される。
【００３４】
アクセスポイント１は、ＩＰｖ４ネットワーク（＃ａ）７を介してカプセル化パケット（図２（ａ））を受信すると、ヘッダ処理部５１が有線ＬＡＮＭＡＣヘッダ１４を取り外し、更にカプセル化パケットのヘッダ部分（ＩＰｖ４ヘッダ１１、ＩＰｖ６ヘッダ１２）を変換テーブル６１に従って圧縮ヘッダ１５に変換する。そして、無線ＬＡＮＭＡＣヘッダ１６を付加した信号（図２の（ｂ））を生成して無線ＬＡＮ端末２に送信する。
【００３５】
一方、無線ＬＡＮ端末２のヘッダ処理部５２は、受信したパケットから無線ＬＡＮＭＡＣヘッダ１６を取り外し、更に変換テーブル６２に従ってヘッダ部を元に復元し、そして、有線ＬＡＮＭＡＣヘッダ１４を付加したパケットを生成してＩＰｖ４ネットワーク（＃ｂ）７に送信する。即ち、無線ＬＡＮ端末２からＩＰｖ４ネットワーク（＃ｂ）７へ送信される信号は、図２（ａ）と同じものとなる。そして、ＩＰｖ４ネットワーク（＃ｂ）７に接続されたカプセル化部９９は、このパケットを受信するとカプセル化をほどき、ＩＰｖ４ヘッダ１１を削除してＩＰｖ６パケットに復元してＩＰｖ６ネットワーク（＃ｂ）８を介してクライアント２１に送信する。
【００３６】
クライアント２１は、このパケットをＩＰｖ６ネットワーク（＃ｂ）８から受信し、所要の信号処理を行う。なお、クライアント２１からサーバ１０にパケットが送信される場合は、この逆コースを辿って変換処理され、送信される。
【００３７】
図３は、カプセル化部９で変換されたカプセル化パケットのヘッダ（アドレス）部分の構成図である。
【００３８】
図３において、カプセルヘッダは、ＩＰｖ４ヘッダ（符号ａ〜ｎ）に引き続きＩＰｖ６ヘッダ（符号Ａ〜Ｈ）が繋がる構成である。そして、カプセル化パケットのＩＰｖ４ヘッダ部分の送信元ＩＰアドレスｋ（例えば、「１１．３３．５５．７７」）は、１０進法で表示されている。また、ＩＰｖ６ヘッダ部分の送信元ＩＰアドレスＧは、「２００２」と呼ばれるＩＰｖ６プレフィックスで始まる。
【００３９】
パケットの受信側であるカプセル化部９９は、このＩＰｖ６プレフィックスがＩＰｖ４ヘッダに続いて存在することを確認すると、当該パケットがカプセル化パケットであると判定することが出来る。更に、ＩＰｖ６ヘッダには、ＩＰｖ６プレフィックスに続いて送信元アドレス「０ｂ２１：３７４ｄ：１：：１―――」が設定されている。
【００４０】
このヘッダ部分の圧縮では、ＩＰｖ６ヘッダの送信元ＩＰアドレスＧと宛先ＩＰアドレスＨの組合せ、および必要で有れば例えば、フローラベルＣやその他のＩＰｖ６ヘッダのフィールド、もしくは、拡張ヘッダに設定された暗号化情報等の条件を適宜組合せることによって圧縮番号を設定することが出来る。
【００４１】
図４は、カプセル化ヘッダを圧縮ヘッダに変換する変換テーブルの一例である。この変換テーブルは、アクセスポイント１のヘッダ処理部５１、および無線ＬＡＮ端末２のヘッダ処理部５２の内部メモリにそれぞれ変換テーブル６１、変換テーブル６２として設定されている。そして、変換テーブルは、圧縮番号に対応してＩＰｖ６ヘッダの送信元ＩＰアドレスＧ、宛先ＩＰアドレスＨ、その他組合項目、ヘッダ詳細データなどで構成されている。なお、図４では、予め想定したＩＰｖ６ヘッダの送信元ＩＰアドレスＧ、宛先ＩＰアドレスＨに対応して圧縮番号を設定する場合の変換テーブルであるが、上記の様に必要に応じて他の組合せに必要な項目（パラメータ）を追加してもよい。
【００４２】
また、カプセル化ヘッダに記載された圧縮ヘッダを復元するのに必要な各種のヘッダ詳細データは、変換テーブル６１および変換テーブル６２に初期設定などの手段により記憶される。
【００４３】
図５は、アクセスポイント１のヘッダ処理部６１で変換された圧縮ヘッダパケットの圧縮ヘッダ部の構造の一例を示す。
【００４４】
図５において、圧縮ヘッダ１５は、圧縮ヘッダ表示フィールドｘ１，圧縮番号フィールドｘ２、予備フィールドｘ３から構成される。そして、アクセスポイント１と無線ＬＡＮ端末２との間で送受信されるパケットが圧縮パケットで有ることを示すため、ここでは、ＩＰｖ４ヘッダのバージョンａを示すフィールドに相当する部分を圧縮ヘッダ表示フィールドｘ１として、「１１１１」に設定している。
【００４５】
また、圧縮ヘッダに設定される圧縮番号フィールドｘ２は、ＩＰｖ６ヘッダの送信元ＩＰアドレスＧと、宛先ＩＰアドレスＨとの組合せを基本とした組合せから図４に基づいた圧縮番号が設定される。これらは、ＩＰｖ４ヘッダのヘッダ長ｂ、サービスタイプｃとトータル長ｄに割り当てられていたフィールドに相当する部分に設定内容を記述する。（ＩＰｖ４ヘッダのその他のフィールドに相当する部分の使用については、必要に応じて適宜システムで設定すればよい。）
【００４６】
例えば、圧縮番号フィールドｘ２の設定に、ＩＰｖ４ヘッダのヘッダ長ｂの先頭から数えて１０ビット目まで使用して、ＩＰｖ６ヘッダの送信元ＩＰアドレスＧと宛先ＩＰアドレスＨの組合せだけで圧縮番号を設定するとすれば、最大５１２通りの組合せの圧縮番号になる。即ち、従来ではカプセル化のために少なくとも６０バイトのヘッダが用いられていたが、ここでは、４バイト以下に圧縮された圧縮ヘッダになる。この場合、１０ビット目以降は、予備ｘ３とする。
【００４７】
この圧縮番号フィールドｘ２は、ＩＰｖ６ヘッダの送信元ＩＰアドレスＧと宛先ＩＰアドレスＨとの組合せに加えて、その他コネクションに係わる条件も合わせた組合せによる圧縮番号を生成して設定することも可能であるが、ヘッダ情報に要するビット数はそれらの条件を合わせたコネクションの数だけの記述ビット数で済むので圧縮度は非常に高くなる。
【００４８】
なお、圧縮パケットを送信するときに、その圧縮パケットのヘッダが圧縮ヘッダで有ることを示す方法として、上記の説明では圧縮ヘッダに「１１１１」の識別子を設けたが、その識別は、例えば、無線ＬＡＮＭＡＣヘッダ１６に記載するなど、他の方法によって行ってもよい。
【００４９】
図６は、アクセスポイント１の無線部３１と無線ＬＡＮ端末２の無線部３２との間の無線ＬＡＮで伝送されるパケットの構成例である。図６において、無線ＬＡＮパケットは、無線ＬＡＮ特有のヘッダ情報であるＰＬＣＰプリアンブルｐａ、ＰＬＣＰヘッダｐｈ、および無線ＬＡＮＭＡＣヘッダ１６に相当するＭＡＣフレームｍｆと、圧縮ヘッダとペイロードデータを搭載するデータフレームｄｆ、誤り訂正のためのＦＣＳフレームｆｆからなる。
【００５０】
そして、この無線ＬＡＮパケットが圧縮ヘッダか圧縮ヘッダでないヘッダであるかの識別は、図６におけるＭＡＣフレームｍｆの中にヘッダタイプ情報を設け、例えば、「１１」で有れば圧縮ヘッダパケットで有ることを示す。
【００５１】
図７は、アクセスポイント１が無線ＬＡＮ端末２との間でカプセル化パケットを送信する場合の動作手順を示すフローチャートである。
【００５２】
図７において、左側の列はカプセル化パケットを送信するアクセスポイント１の動作、右側の列はそれを受信する無線ＬＡＮ端末２の動作を示している。
【００５３】
まず、アクセスポイント１および無線ＬＡＮ端末２にあっては、カプセル化ヘッダに対応した圧縮ヘッダを作成するため、変換テーブル６１と変換テーブル６２に予め初期設定を行う。（ステップｓ１、およびｓ１−１）。この初期設定は、アクセスポイント１および無線ＬＡＮ端末２に、例えば、パーソナルコンピュータを接続し、キーボード等の入力装置により、例えば、図４の圧縮番号対応の様に所定の設定情報を入力すればよい。また、アクセスポイント１と無線ＬＡＮ端末２との間で無線ＬＡＮ通信を行い、そのいずれか一方にパーソナルコンピュータを接続して、通信を利用して両者に設定情報を入力する方法であってもよい。
【００５４】
アクセスポイント１では、ＩＰｖ４ネットワーク（＃ａ）７からのパケット（図２の（ａ））を受信すると（ステップｓ２）、ヘッダ処理部５１は有線ＬＡＮＭＡＣヘッダ１４を判読し、自装置あてのパケットであればこれを取り込み、有線ＬＡＮＭＡＣヘッダ１４を外してＩＰｖ４ヘッダ１１およびＩＰｖ６ヘッダ１２を読み出す。
【００５５】
そして、ヘッダ処理部５１は、このＩＰｖ６ヘッダ１２中にＩＰｖ６プレフィクス「２００２」を判別すると、サーバ１０からのクライアント２１へ送信されたカプセル化ヘッダであると判断する（ステップｓ３がＹｅｓの場合）。そして、そのヘッダ部分を変換テーブル６１と照合する（ステップｓ５）。
【００５６】
そして、例えばＩＰｖ６ヘッダ１２の送信元ＩＰアドレスが「ｃ００１：０２０３：：４８」であり、宛先ＩＰアドレスが「０９ｆｅ：ｆｄｆｃ：：４８」であるとすると、その組合せに対応した圧縮番号が図４に示す変換テーブル６１に記載されていれば（ステップｓ６がＹｅｓ）、その組合せに対する圧縮番号（この例では、「２」が該当する）を読み出す。
【００５７】
続いて、ヘッダ処理部５１は、無線ＬＡＮ端末２に送信するパケットの圧縮ヘッダ１５に圧縮ヘッダ情報、即ち、圧縮ヘッダであることを示す「１１１１」を圧縮ヘッダ表示フィールドｘ１に、また、圧縮番号「２」を圧縮番号フィールドｘ２に書き込む（ステップｓ７）。
【００５８】
ヘッダ処理部５１は更に、無線ＬＡＮ端末２の装置宛先アドレス（例えば、ＤＡ）を書き込んだ無線ＬＡＮＭＡＣヘッダ１６を付加した圧縮ヘッダのパケット（図２の（ｂ））を生成して無線部３１に出力する。そして、アクセスポイント１は、この圧縮ヘッダのパケットを無線部３１を介して無線ＬＡＮ端末２に送信する（ステップｓ８）。
【００５９】
無線ＬＡＮ端末２の無線部３２は、この圧縮ヘッダのパケットを受信すると（ステップｓ１０）、それをヘッダ処理部５２に出力する。ヘッダ処理部５２は、無線ＬＡＮＭＡＣヘッダ１６から装置宛先アドレス（ＤＡ）を読み出すと共に、そのパケットを取り込む。そして、無線ＬＡＮＭＡＣヘッダ１６を取り外し、圧縮ヘッダ１５の圧縮ヘッダ表示フィールドｘ１「１１１１」を読み出して圧縮ヘッダであると判断する（ステップｓ１１がＹｅｓ）。
【００６０】
そして、ヘッダ処理部５２は、この圧縮ヘッダと変換テーブル６２とを照合し、圧縮番号フィールドｘ２の圧縮番号「２」から、それに対応した当該パケットのＩＰｖ６ヘッダの送信元ＩＰアドレスＧ「ｃ００１：０２０３：：４８」と宛先ＩＰアドレスＨ「０９ｆｅ：ｆｄｆｃ：：４８」、およびその他のヘッダ詳細データを変換テーブル６２から読み出し（ステップｓ１２）、それらをＩＰｖ４ネットワーク（＃ｂ）７のカプセル化パケットに復元する（ステップｓ１３）。
【００６１】
これらの処理を終えると無線ＬＡＮ端末２は、ＩＰｖ４ネットワーク（＃ｂ）７へ送信するための有線ＬＡＮＭＡＣヘッダを付加したカプセル化パケット（図２（ａ））を生成して、クライアント２１に向けてＩＰｖ４ネットワーク（＃ｂ）７を介して上記カプセル化パケットを送信する（ステップｓ１４）。
【００６２】
上記ステップｓ３において、ＩＰｖ４ネットワーク（＃ａ）７から受信したパケットがカプセル化パケットでなければ（ステップｓ３がＮｏ）、アクセスポイント１は、そのパケットが例えばＩＰｖ４端末７ｔから送信されたＩＰｖ４パケットであると判断する。即ち、カプセル化部９を経由しないＩＰｖ４ネットワーク（＃ａ）７に直接接続されたクライアントからのデータ通信であると判断する。そして、アクセスポイント１は、そのＩＰｖ４パケットに無線ＬＡＮ端末２宛の無線ＬＡＮＭＡＣヘッダ１６を付加して送信する（ステップｓ４）。
【００６３】
無線ＬＡＮ端末２の無線部３２は、このＩＰｖ４パケットを受信すると（ステップｓ１０）、それをヘッダ処理部５２に出力する。ヘッダ処理部５２は、無線ＬＡＮＭＡＣヘッダ１６を取り外し、このパケットの先頭ヘッダの内容が「１１１１」でないことを判読し、圧縮ヘッダでないと判断する（ステップｓ１１がＮｏ）。
【００６４】
続いて、ＩＰｖ６ヘッダにＩＰｖ６プレフィクス「２００２」がないと判断する（図７のステップｓ１５がＮｏ）と、その受信したＩＰｖ４パケットをＩＰｖ４ネットワーク（＃ｂ）７を介してクライアントに送信する（図７のステップｓ１８）。この場合のクライアントは、ＩＰｖ４ネットワーク（＃ｂ）７に接続されている相手である。
【００６５】
また、上記ステップｓ６において、変換テーブル６１に圧縮番号が設定されていないカプセル化パケットであると判断（ステップｓ６がＮｏ）した場合、ヘッダ処理部５１は、当該パケットをカプセル化ヘッダとしたままで無線ＬＡＮ端末２宛に無線ＬＡＮＭＡＣヘッダ１６を付加して送信する（ステップｓ９）。
【００６６】
無線ＬＡＮ端末２の無線部３２は、このカプセル化パケットを受信すると、それをヘッダ処理部５２に出力する。ヘッダ処理部５２は、無線ＬＡＮＭＡＣヘッダ１６を取り外し、ヘッダ部の先頭が「１１１１」でないことから、圧縮ヘッダでないと判断し（ステップｓ１１がＮｏ）、さらに、ＩＰｖ４ヘッダにＩＰｖ６プレフィクス「２００２」が続いているか否かによってカプセル化パケットか否かを判断する。
【００６７】
ここでは、ヘッダ処理部５２は、ＩＰｖ６プレフィクス「２００２」が続いていることからカプセル化パケットであると判断する（ステップｓ１５がＹｅｓ）。そして、ＩＰｖ４ネットワーク（＃ｂ）７へ送信するための有線ＬＡＮＭＡＣヘッダ１４を付加したカプセル化パケットを生成して、ＩＰｖ４ネットワーク（＃ｂ）７、カプセル化部９９を介してクライアント２１に送信する（ステップｓ１４）。
【００６８】
以上は、実施例１の基本形態であるが、上記動作のステップの幾つかをある構成要素が兼ねて行うか代行するものであってもよい。
【００６９】
図８は、実施例１の無線ＬＡＮシステムの変形例である。
【００７０】
この無線ＬＡＮシステムでは、無線ＬＡＮ端末２に直接クライアント２１が接続されている他は図１の実施例１と同じである。この接続構成では、ヘッダ復元処理を行う機能要素の負担を変えることが可能である。
【００７１】
この無線ＬＡＮシステムでは、無線ＬＡＮ端末２からクライアント２１にカプセル化パケットを送信しても良いし、無線ＬＡＮ端末２からカプセル化パケットではなく、復元されたＩＰｖ６パケットを送信するようにしても良い。
【００７２】
例えば、クライアント２１がリレールータの機能を有する場合、無線ＬＡＮ端末２から送信されるカプセル化パケットをプライアント２１がＩＰｖ６パケットに復元する。そして、復元されたＩＰｖ６パケットをクライアント２１から、このクライアント２１に接続されたＩＰｖ６ネットワーク、もしくはＩＰｖ６端末等に送信するようにしても良い。
【００７３】
また、クライアント２１がカプセル化復元機能を有しているホストやコンピュータ端末である場合、クライアント２１は無線ＬＡＮ端末２から送信されるカプセル化パケットをＩＰｖ６パケットに変換して、そのヘッダ内容を判読して所要の信号処理、アプリケーションの実行等を行うものである。
【００７４】
更に、無線ＬＡＮ端末２がカプセル化部９９に代わり、カプセル化パケットをＩＰｖ６パケットに変換して送信するリレールータの機能を有するものとしても良い。この場合、図７のステップｓ１３では圧縮ヘッダパケットをＩＰｖ６パケットに復元し、またステップｓ１４ではＩＰｖ６パケットが送信される。
【００７５】
また、ステップｓ１５でカプセル化パケットであった場合、そのカプセル化パケットを受信した無線ＬＡＮ端末２はＩＰｖ６パケットを生成してクライアント２１に送信する。
【００７６】
次に、無線ＬＡＮ端末２からアクセスポイント１へＩＰｖ６パケットを送信する場合について説明する。ここでは、説明の頻雑を避けるため、クライアント２１が直接無線ＬＡＮ端末２に接続されているものとして動作説明を行う。
【００７７】
図９は、無線ＬＡＮ端末２からアクセスポイント１にパケットを送信する動作手順を示すフローチャートである。
【００７８】
図９において、左側の列はパケットを送信する無線ＬＡＮ端末２の動作、右側の列は受信するアクセスポイント１の動作を示している。この無線ＬＡＮ通信では、伝送方向が実施例１と逆方向であるが、図７のフローチャートと異なる点を中心に説明する。
【００７９】
無線ＬＡＮ端末２のヘッダ処理部５２は、クライアント２１からカプセル化パケットを受信し（ステップｐ３がＹｅｓ）、そのカプセル化パケットに対応する圧縮ヘッダ情報が変換テーブル６２に設定されていれば（ステップｐ５がＹｅｓ）、それに基づいて所定の圧縮番号を設定した圧縮ヘッダを有する圧縮ヘッダのパケットを生成する。例えば、図４のＩＰｖ６ヘッダの送信先ＩＰアドレスＧと宛先ＩＰアドレスＨの記述データが逆になる組合せ（ここでは、例えば送信元ＩＰアドレスＧ「０９ｆｅ：ｆｄｆｃ：：４８」と宛先ＩＰアドレスＨ「ｃ００１：０２０３：：４８」とする）から圧縮番号「２」を設定する。そして、ヘッダ処理部５２は無線ＬＡＮＭＡＣヘッダ１６を付加した圧縮ヘッダのパケットを生成して、無線部３２を介してアクセスポイント１に送信する（ステップｐ８）。
【００８０】
アクセスポイント１は、無線部３１を介して圧縮ヘッダパケットを受信するとヘッダ処理部５１に当該パケットを出力する。
【００８１】
アクセスポイント１が受信したパケットが圧縮ヘッダのパケットで有れば（ステップｐ１１がＹｅｓ）、ヘッダ処理部５１は、変換テーブル６１を参照してそのパケットの圧縮番号「２」から送信元ＩＰアドレス、宛先ＩＰアドレス等を読み出し（ステップｐ１２）、ＩＰｖ４ヘッダおよびＩＰｖ６ヘッダに設定した所定のカプセル化パケットの生成を行う（ステップｐ１３）。そして、有線ＬＡＮＭＡＣヘッダを付加したカプセル化パケット（図２（ａ）と同じ構成）をＩＰｖ４パケットネットワーク（＃ａ）７を介してサーバ１０に送信する（ステップｐ１４）。
【００８２】
しかしステップｐ６において、変換テーブル６２にサーバ１０に関する情報が設定されていない場合（ステップｐ６がＮｏ）、ヘッダ処理部５２では、そのままカプセル化を行い、無線部３２を介してアクセスポイント１にカプセル化パケットを送信する（ステップｐ９）。
【００８３】
アクセスポイント１の無線部３１が、この圧縮ヘッダでないカプセル化パケットを受信すると（ステップｐ１１がＮｏ、ステップｐ１５がＹｅｓ）、ヘッダ処理部５１に当該パケットを出力する。そしてヘッダ処理部５１は、このカプセル化パケットをＩＰｖ４パケットネットワーク（＃ａ）７を介してサーバ１０に送信する（ステップｐ１４）。
【００８４】
また、アクセスポイント１がリレールータの機能を有するものである場合で、無線ＬＡＮ端末２がクライアント２１から受信したパケットがＩＰｖ６パケットであった場合（ステップｐ３がＮｏ）、無線ＬＡＮ端末２からそのままＩＰｖ６パケットをアクセスポイント１に送信する（ステップｐ４）。
【００８５】
アクセスポイント１のヘッダ処理部５１は、受信したパケットがＩＰｖ６パケットであると判断すると（ステップｐ１１がＮｏ、ステップｐ１５がＮｏ、ステップｐ１６がＹｅｓ）、ＩＰｖ６パケットをカプセル化して（ステップｐ１３）、ＩＰｖ４ネットワーク（＃ａ）７に送信する（ステップｐ１４）。
【００８６】
このカプセル化パケットは、ＩＰｖ４パケットネットワーク（＃ａ）７からカプセル化部９で受信され、そこでカプセル化パケットがほどかれＩＰｖ６パケットに変換される。カプセル化部９は、このＩＰｖ６パケットをＩＰｖ６ネットワーク（＃ａ）８を介してサーバ１０に送信する。そして、サーバ１０は、そのパケットを受信するとヘッダおよびペイロードデータを判読して所定のアプリケーションを実行する。
【００８７】
なお、カプセル化ヘッダに対する圧縮方法、またはアルゴリズムは、上記例の様なテーブル化に限ることなく、例えば、ＩＥＴＦのＲＦＣ２０８５の様な変換則（仕様）を用いるものであっても良い。
【実施例２】
【００８８】
実施例２は、変換テーブル６１と変換テーブル６２にＩＰｖ６ヘッダの送信元ＩＰアドレスＧと宛先ＩＰアドレスＨとの組合せの圧縮番号が設定されていないカプセル化パケットをアクセスポイント１と無線ＬＡＮ端末２との間で通信する場合に、この組合せと対応する圧縮番号を変換テーブル６１と変換テーブル６２に追加設定して無線ＬＡＮ通信を行うものである。
【００８９】
図１０は、実施例２の動作手順を示したフローチャートである。図１０において、左側の列はパケットを送信するアクセスポイント１の動作、右側の列は受信する無線ＬＡＮ端末２の動作を示している。
【００９０】
実施例２の動作について実施例１と異なる点を中心に説明する。またクライアント２１は、無線ＬＡＮ端末２に接続されているものとして説明を行う。
【００９１】
アクセスポイント１は、ＩＰｖ４ネットワーク（＃ａ）７からのカプセル化パケット（図２（ａ）と同様）を受信すると（ステップｓ５２）、ヘッダ処理部５１が有線ＬＡＮＭＡＣヘッダ１４を判読し、自装置あてのパケットであればこれを取り込み、更にそのカプセル化ヘッダの先頭であるＩＰｖ４ヘッダ１１を読み出す。
【００９２】
そして、このＩＰｖ４ヘッダ１１に続くＩＰｖ６ヘッダ１２にＩＰｖ６プレフィクス「２００２」を設定されたカプセル化ヘッダであった場合（ステップｓ５３がＹｅｓ）、ヘッダ処理部５１は、そのカプセル化パケットのヘッダと変換テーブル６１とを照合し（ステップｓ５５）、当該パケットのＩＰｖ６ヘッダの例えば送信元ＩＰアドレスＧ「ｃ００１：０２０３：：４８」と宛先ＩＰアドレスＨ「０９ｆｅ：ｆｄｆｄ：：４８の組合せが変換テーブル６１に無いと判断したとする（ステップｓ５６がＮｏ）。
【００９３】
すると、ヘッダ処理部５１は、当該カプセル化パケットのＩＰｖ６ヘッダから送信元ＩＰアドレスＧ「ｃ００１：０２０３：：４８」と宛先ＩＰアドレスＨ「０９ｆｅ：ｆｄｆｄ：：４８」を変換テーブル６１に追加記憶する。そして、この組合せに対応した圧縮番号（ここでは「１６」とする。）を生成して、図４に記載されている様に、変換テーブル６１に圧縮番号「１６」とＩＰアドレス等を記憶し、変換テーブル６１の再設定を行う（ステップｓ５９）。
【００９４】
この設定に引き続き、ヘッダ処理部５１は、無線ＬＡＮＭＡＣヘッダ１６を付加したカプセル化パケットを生成して無線部３１を介して無線ＬＡＮ端末２に送信する（ステップｓ５９−１）。
【００９５】
なお、このカプセル化パケットの送信を行うときに、再設定した変換テーブル６１に従って次回以降の伝送に備え、このカプセル化パケットのＩＰｖ４ヘッダのオプションｍ（図３参照）のフィールドに、次回以降は圧縮ヘッダにしたカプセル化パケットとなることを示すためのマーク（例えば、最後の５ビットを「０１１１１」にする。）を設定して送信する。
【００９６】
無線ＬＡＮ端末２の無線部３２は、このカプセル化パケットを受信すると（ステップｓ５１−２）、それをヘッダ処理部５２に出力する。そして、ヘッダ処理部５２は、無線ＬＡＮＭＡＣヘッダ１６を取り外し、ヘッダ部の先頭が「１１１１」でないことから圧縮ヘッダでないと判断し、カプセル化パケットのヘッダ部の内容を判読する。即ち、ＩＰｖ６ヘッダのＩＰｖ６プレフィクス「２００２」からカプセル化パケットか否かを判断する（ステップｓ５１−７のＹｅｓ）。
【００９７】
更に、ヘッダ処理部５２は、ＩＰｖ４ヘッダのオプションｍのフィールドから「０１１１１」のマークを判読すると、次回以降圧縮ヘッダのパケットにして送信されるパケットであると判断し（ステップｓ５１−８のＹｅｓ）と、このカプセル化ヘッダからＩＰｖ６ヘッダの送信元ＩＰアドレスＧ「ｃ００１：０２０３：：４８」と宛先ＩＰアドレスＨ「０９ｆｅ：ｆｄｆｄ：：４８」を変換テーブル６２に追加記憶する（ステップｓ５１−９）。
【００９８】
そして、この組合せに対応した圧縮番号「１６」を変換テーブル６２に記憶し、変換テーブル６２の再設定を行う。この変換テーブル６２の圧縮番号は、アクセスポイント１の変換テーブル６１と同じ圧縮番号が設定されなければならない。そのため、例えば、圧縮番号を連続番号にして、圧縮番号の追加毎にその番号を追加する方法や、アクセスポイント１側でＩＰｖ４ヘッダのオプションｍのフィールドで圧縮番号を設定して、無線ＬＡＮ端末２がこの圧縮番号を読み出す等の方法を採る。
【００９９】
なお、これらのマークの付加、圧縮番号の通知は、上記の方法の他に例えば、無線ＬＡＮＭＡＣヘッダ１６のＭＡＣフレームに設定するなどの方法によるものであってもよい。
【０１００】
そして、ヘッダ処理部５２はＩＰｖ４ネットワークへ接続する有線ＬＡＮＭＡＣヘッダを付加してカプセル化パケットを生成し、無線ＬＡＮ端末２はクライアント２１にカプセル化パケットを送信する。
【０１０１】
もしステップｓ５１−８において、「０１１１１」のマークを判読出来なければ、ヘッダ処理部５２は、このカプセル化パケットに有線ＬＡＮＭＡＣヘッダを付加したカプセル化パケットを生成し、無線ＬＡＮ端末２はクライアント２１にそのカプセル化パケットを送信する（ステップｓ５１−６）。
【０１０２】
従って、ヘッダ処理部５２は、初期設定で圧縮番号を記憶していないカプセル化ヘッダのパケットを受信しても、その後、同じカプセル化ヘッダのパケットを受信した時には圧縮化ヘッダのパケットにして送信することが出来る。
【０１０３】
またステップｓ５１−７において、カプセル化パケットではなく、ＩＰｖ４パケットで有れば（ステップｓ５１−７がＮｏ）、無線ＬＡＮ端末２は、クライアント２１にＩＰｖ４パケットを送信する（ステップｓ５１−１０）。
【０１０４】
なお、変換テーブル６１、６２に送信元ＩＰアドレスと宛先ＩＰアドレスを追加登録する方法は、更に変換テーブル６１，６２を初期設定する時に、圧縮して通信する可能性のある送信元ＩＰアドレスＧと宛先ＩＰアドレスＨを圧縮化ヘッダ適用候補として登録するようにしてもよい。そして、その登録されたＩＰアドレスを持つカプセル化パケットを受信した時のみヘッダを圧縮するパケットとして送信するようにしてもよい。このマークを付ける方法では、圧縮ヘッダ化処理を行う対象のクライアント数を制限できるので圧縮テーブル６１、６２の容量を節約する効果がある。
【０１０５】
また、上記の候補の登録の初期設定を行う時には入力する情報は、ＩＰアドレス情報だけで済ませて、それ以外の、例えば、図４に記載されているヘッダ詳細データを入力しないままにしておいてもよい。この場合も、カプセル化パケットを受信した時にはヘッダ詳細データが読み込まれるので、それらのヘッダ詳細データを自動的に変換テーブル６１、６２にコピーして記憶させるようにすれば、初期設定でヘッダ詳細データを入力する作業を減らすことも出来る。
【０１０６】
一方、このマークを付けないで送信元ＩＰアドレスと宛先ＩＰアドレスとの組合せを受信したものについては、すべて変換テーブル６１、６２に圧縮番号とその組合せを追加設定する方法を採っても良い。マークを付けない方法は、アクセスポイント１と無線ＬＡＮ端末２とがＬＡＮ間ブリッジ機能を果たしている時に有効である。しかしこの方法では、変換テーブル６１、６２に設定されるデータ量が膨大となるので、送信元ＩＰアドレスと宛先ＩＰアドレスの組合せ、およびその圧縮番号を適宜クリヤ、更新することが望ましい。
【０１０７】
また、実施例２においても、図８に示された構成に適用された実施例１と同様に、無線ＬＡＮ端末２にＩＰｖ６パケットに復元する等の変形例を採ることが可能である。この場合、図１０において、ステップｓ５１−５を圧縮化ヘッダパケットもしくはカプセル化パケットをＩＰｖ６パケットに変換し、ステップｓ５１−６をＩＰｖ６パケットがクライアントに送信されるように読み替える。
【０１０８】
図１１は、実施例２において、無線ＬＡＮ端末２からアクセスポイント１へパケットを送信する場合の動作を示すフローチャートである。
【０１０９】
図１１において、左側の列はパケットを送信する無線ＬＡＮ端末２の動作、右側の列は受信するアクセスポイント１の動作を示している。
【０１１０】
この場合の動作は、図１０のアクセスポイント１から無線ＬＡＮ端末２へパケットを送信するフローチャートを、無線ＬＡＮ端末２からアクセスポイント１へ送信するフローチャートと置き替えればよい。そして、アクセスポイント１がリレールータの機能を有している場合には、ステップｐ５１−１１が追加され、その動作は次の通りである。
【０１１１】
無線ＬＡＮ端末２がクライアント２１から受信したパケットがＩＰｖ６パケットであった場合（ステップｐ５３がＮｏ）、無線ＬＡＮ端末２からＩＰｖ６パケットをアクセスポイント１に送信する（ステップｐ５４）。
【０１１２】
その場合、アクセスポイント１のヘッダ処理部５１は、圧縮ヘッダのパケットでなく、且つ、カプセル化パケットでもない場合（ステップｐ５１−３がＮｏ、ステップｐ５１−７がＮｏ）、ステップｐ５１−１１において受信したパケットがＩＰｖ６パケットであるか否かを判断する。そして、ＩＰｖ６パケットであると判断すると（ステップｐ５１−１１がＹｅｓ）、ＩＰｖ６パケットをカプセル化して（ステップｐ５１−５）、ＩＰｖ４ネットワーク（＃ａ）７に送信する（ステップｐ５１−６）。これにより、アクセスポイント１でＩＰｖ６パケットをカプセル化パケットに変換することができる。
【実施例３】
【０１１３】
実施例３は、変換テーブル６１と変換テーブル６２にカプセル化パケットの圧縮ヘッダ情報が記述されていないカプセル化パケットをアクセスポイント１と無線ＬＡＮ端末２との間で通信する手段の一つであって、パケットの送信側がリレールータの機能を有している場合、その間の無線通信ではＩＰｖ６ヘッダのパケットにして無線ＬＡＮ通信を行うものである。
【０１１４】
図１２は、実施例３の動作手順を示したフローチャートである。図１２において、左側の列はパケットを送信するアクセスポイント１の動作、右側の列は受信する無線ＬＡＮ端末２の動作を示している。実施例３の動作を図１０に示した実施例２と異なる点を中心に説明する。
【０１１５】
以下に、アクセスポイント１が受信したカプセル化パケットが変換テーブル６１に圧縮番号が設定されていないＩＰアドレスの組合せで、更にＩＰアドレスの１つが圧縮ヘッダで伝送するＩＰアドレスの候補として登録されているカプセルパケットである場合を例に動作を説明する。
【０１１６】
さて、アクセスポイント１のヘッダ処理部５１は受信したカプセル化パケットを判読して、例えば、その送信元ＩＰアドレスＧ「ｃ００１：０２０３：：４８」と宛先ＩＰアドレスＨ「０９ｆｅ：ｆｄｆｂ：：４８」の組み合わせが変換テーブル６１に無いけれども（ステップｓ５６がＮｏ）、送信元ＩＰアドレスＧ「ｃ００１：０２０３：：４８」が圧縮ヘッダで伝送するＩＰアドレス候補として登録されているとする（ステップｓ５６―１がＹｅｓ）。
【０１１７】
なお、この登録の有無の判断は、例えば、変換テーブル６１の送信元ＩＰアドレスＧの識別欄が設けられ、そこに登録を意味する「１」が初期設定されているかを判読する方法により行われる。
【０１１８】
そこで、ヘッダ処理部５１は、その受信したＩＰアドレスの組み合わせは次回以降圧縮ヘッダで伝送するものと判断する。そして、送信元ＩＰアドレスＧ「ｃ００１：０２０３：：４８」と宛先ＩＰアドレスＨ「０９ｆｅ：ｆｄｆｂ：：４８」、およびそれらの組み合わせと対応する圧縮番号「１７」を変換テーブル６１に追加する（ステップｓ５９）。
【０１１９】
そして、アクセスポイント１は受信したカプセル化パケットをＩＰｖ６パケットに変換し、次回以降は圧縮ヘッダのパケットにして送信することを示すマーク「０１１１１」をＩＰｖ６ヘッダの拡張ヘッダに設定して無線ＬＡＮ端末２へ送信する（ステップｓ５９−２）。なお、拡張ヘッダは、ＩＰｖ６ヘッダの宛先ＩＰアドレスＨフィールドに続いて設定されるオプション設定のフィールドである。
【０１２０】
そして無線ＬＡＮ端末２のヘッダ処理部５２は、受信したパケットがＩＰｖ６パケットであると判断すると（ステップｓ６０がＹｅｓ）、受信したパケットの拡張ヘッダを読み出し、次回以降は圧縮されるＩＰｖ６パケットで有ることを示すためのマーク「０１１１１」を判読すると、ＩＰｖ６ヘッダから読み出した送信元ＩＰアドレスＧ「ｃ００１：０２０３：：４８」と宛先ＩＰアドレスＨ「０９ｆｅ：ｆｄｆｂ：：４８」、およびその組合せと対応する圧縮番号「１７」を変換テーブル６２に追加して再設定する（ステップｓ６１）。
【０１２１】
なお、この変換テーブル６２の圧縮番号は、実施例２と同様にアクセスポイント１の変換テーブル６１との間で同じ圧縮番号になっている。
【０１２２】
一方、受信したカプセル化パケットのＩＰアドレスが圧縮ヘッダで伝送するＩＰアドレス候補に登録されていない場合（ステップｓ５６−１がＮｏ）、カプセル化パットはそのまま無線ＬＡＮ端末２に送信される（ステップｓ５６−２）。そして無線ＬＡＮ端末２は、クライアント２１へカプセル化パケットとして送信する（ステップｓ５１−７がＹｅｓ、ｓ５１−６）。
【０１２３】
もし、ＩＰアドレスに圧縮ヘッダで伝送する候補で有ることを登録しない方法でカプセル化パケットを無線ＬＡＮ端末２に送信する場合は、ステップｓ５６−１、５６−２およびｓ５１−７が省略される。
【０１２４】
即ち、変換テーブル６１にＩＰアドレスの組み合わせが無いカプセルパケットについては、変換テーブル６１にＩＰアドレスの組み合わせが追加される（ステップｓ５９）。そして、アクセスポイント１から無線ＬＡＮ端末２へカプセル化パケットからＩＰｖ６パケットに変換されて送信される（ステップｓ５９―２）。
【０１２５】
無線ＬＡＮ端末２では、受信したＩＰｖ６パケットからＩＰアドレスの組み合わせが読み出されて変換テーブル６２に追加されるようになる（ステップｓ６１）。
【０１２６】
また、無線ＬＡＮ端末２からアクセスポイント１にカプセル化パケットを送信する場合は、図１２のアクセスポイント１と無線ＬＡＮ端末２の関係が入れ替えられたものとなる。
【０１２７】
この実施例３においても、実施例１、２と同様に無線ＬＡＮ端末２でＩＰｖ６パケットに復元してクライアント２１に送信する等の変形例を採ることも可能である。
【０１２８】
本発明は、上記各実施例に限るものではなく、２種以上のプロトコルで通信する為にカプセル化パケットを伝送する無線ＬＡＮシステムにおいて、無線通信区間でのパケット伝送にヘッダの圧縮が行われるものに適用されるものである。
【０１２９】
例えば、アクセスポイントはＩＰｖ４ネットワークに接続され、無線ＬＡＮ端末はＩＰｖ６ネットワークもしくはＩＰｖ６クライアントに接続され、無線ＬＡＮ端末がＩＰｖ４プロトコルで通信するカプセル化処理とそのカプセル化パケットの圧縮・復元を兼ねる動作を行っても良い。
【０１３０】
一方、無線ＬＡＮ端末はＩＰｖ４ネットワークに接続され、アクセスポイントはＩＰｖ６ネットワークもしくはＩＰｖ６クライアントに接続され、アクセスポイントがＩＰｖ４プロトコルで通信するカプセル化処理とそのカプセル化パケットの圧縮・復元を兼ねる動作を行っても良い。
【０１３１】
さらに本発明は、アクセスポイントと無線ＬＡＮ端末との間の通信ではなく、無線ＬＡＮ端末と他の無線ＬＡＮ端末との間で通信を行うアドホックモードの通信であっても適用できる。この場合、上記説明のアクセスポイント１を無線ＬＡＮ端末１（＃２）、無線ＬＡＮ端末１を無線ＬＡＮ端末１（＃１）と読み替えれば良い。
【０１３２】
また、以上の本発明についての説明は、ＩＰｖ６パケットをＩＰｖ４プロトコルによりカプセル化したパケットをＩＰｖ４ネットワーク上で伝送する無線ＬＡＮシステムに適用するものであったが、本発明は、ＩＰｖ４パケットをＩＰｖ６プロトコルでカプセル化したパケットをＩＰｖ６ネットワーク上で伝送する無線ＬＡＮシステムに応用してもよい。
【図面の簡単な説明】
【０１３３】
【図１】本発明に係る無線ＬＡＮシステムの実施例の構成図。
【図２】本発明の実施例に係る無線ＬＡＮシステムで伝送されるパケットの構成を示す図。
【図３】本発明の実施例に係るＩＰｖ４／ＩＰｖ６カプセル化パケットヘッダの構成の一例。
【図４】本発明の実施例に係るカプセル化ヘッダを圧縮ヘッダに変換するテーブルの例。
【図５】本発明の実施例に係る圧縮ヘッダの構成の例。
【図６】本発明の実施例に係る無線ＬＡＮで伝送されるパケットの構成図。
【図７】本発明の実施例１におけるアクセスポイントから無線ＬＡＮ端末への送信動作手順を示すフローチャート。
【図８】本発明に係る無線ＬＡＮシステム構成の他の実施例の構成図。
【図９】本発明の実施例１における無線ＬＡＮ端末からアクセスポイントへの送信動作手順を示すフローチャート。
【図１０】本発明の実施例２におけるアクセスポイントから無線ＬＡＮ端末への送信動作手順を示すフローチャート。
【図１１】本発明の実施例２における無線ＬＡＮ端末からアクセスポイントへの送信動作手順を示すフローチャート。
【図１２】本発明の実施例３におけるアクセスポイントから無線ＬＡＮ端末への送信動作手順を示すフローチャート。
【図１３】従来の無線ＬＡＮシステムの構成図。
【図１４】従来の無線ＬＡＮシステムで伝送されるパケットの構成を示す図。
【図１５】ＩＰｖ４パケットヘッダの構成図。
【図１６】ＩＰｖ６パケットヘッダの構成図。
【符号の説明】
【０１３４】
１  アクセスポイント
２  無線ＬＡＮ端末
３１、３２  無線部
５１、５２  ヘッダ処理部
６１、６２  変換テーブル
７  ＩＰｖ４ネットワーク
７ｔ  ＩＰｖ４端末
８  ＩＰｖ６ネットワーク
９  カプセル化装置
１０  サーバ
１１  ＩＰｖ４ヘッダ
１２  ＩＰｖ６ヘッダ
１３  ペイロード
１４  有線ＬＡＮＭＡＣヘッダ
１５  圧縮ヘッダ  
１６  無線ＬＡＮＭＡＣヘッダ
【図１】
2005124077.tif 000003
【図２】
2005124077.tif 000004
【図３】
2005124077.tif 000005
【図４】
2005124077.tif 000006
【図５】
2005124077.tif 000007
【図６】
2005124077.tif 000008
【図７】
2005124077.tif 000009
【図８】
2005124077.tif 000010
【図９】
2005124077.tif 000011
【図１０】
2005124077.tif 000012
【図１１】
2005124077.tif 000013
【図１２】
2005124077.tif 000014
【図１３】
2005124077.tif 000015
【図１４】
2005124077.tif 000016
【図１５】
2005124077.tif 000017
【図１６】
2005124077.tif 000018